(57)【特許請求の範囲】
【請求項１】
電話網を介して受信した音声信号を音声に変換して出力するスピーカと、利用者の音声を音声信号に変換するマイクとを備えた受話器と、
この受話器を利用する利用者の、前記スピーカから出力される音声を聴こうとする左右のいずれかの耳を特定する耳特定手段と、
この耳特定手段により特定された耳に対応付けられた補聴器に設けられた受信機に前記音声信号を無線送信する送信手段とを備えた
ことを特徴とする電話装置。
【請求項２】
請求項１に記載された電話装置であって、
前記耳特定手段は、
少なくとも前記スピーカを備えた受話器の傾きを検出する傾きセンサと、
この傾きセンサの検出結果に基づいて前記利用者が左右のいずれの耳で前記スピーカから出力される音声を聴くかを特定する特定手段とを備える
ことを特徴とする電話装置。
【請求項３】
請求項１または２に記載された電話装置であって、
前記送信手段は、
前記利用者の左右の耳に対してそれぞれ前記受信機の識別子を対応付けて記憶した記憶手段を有し、
この記憶手段に記憶された前記識別子に基づいて、前記耳特定手段により特定された耳に対応付けられた前記受信機に前記音声信号を送信する
ことを特徴とする電話装置。
【請求項４】
請求項３に記載された電話装置であって、
前記送信手段は、
前記記憶手段において、前記耳特定手段により特定された耳に受信機の識別子が対応付けられていない場合は、前記スピーカに前記音声信号を送信する
ことを特徴とする電話装置。
【発明の詳細な説明】
【技術分野】
【０００１】
本発明は、電話装置に関し、特に利用者の利用状態に応じて受信機に音声信号を送信する電話装置に関する。
【背景技術】
【０００２】
従来より、高齢者や聴覚不自由者など難聴者に対して、移動電話機にアダプタを取付けることで、移動電話の音声を拡大して聞くことができるような補聴器がある。しかしながら、移動電話を使用する場合にはアダプタを取付けなければならず、面倒である。また、そのアダプタを持ち歩かなければならず、使い勝手が悪い。このような問題点を解決するため、無線回線を介して音声を受信する無線部を補聴器に内蔵し、この補聴器に通話における音声信号を送信する発明が開示されている（特許文献１）。
【０００３】
【特許文献１】特開２００３−１２５４９６号公報
【発明の開示】
【発明が解決しようとする課題】
【０００４】
しかしながら、この従来の発明では、音声信号の送信先を選択することができないため、電話装置と対応する無線通信規格の無線部を内蔵する補聴器全てに音声信号を送信してしまう。その結果、利用者が補聴器を両耳に装着している場合や、利用者が補聴器を片耳だけ装着している場合、補聴器の利用者は、受話器を持ち換え（受話する耳を換え）ても本来聞こえてこないはずの耳から音声が聞こえてくる場合があり、違和感を感じることとなる。
【０００５】
そこで本発明は、補聴器利用者の、受話する左右いずれかの耳に応じて音声信号の送信先を制御する電話装置および受話器を提供することを目的とする。
【課題を解決するための手段】
【０００６】
本発明にかかる電話装置は、電話網を介して受信した音声信号を音声に変換して出力するスピーカと、利用者の音声を音声信号に変換するマイクとを備えた受話器と、この受話器を利用する利用者の、前記スピーカから出力される音声を聴こうとする左右のいずれかの耳を特定する耳特定手段と、この耳特定手段により特定された耳に対応付けられた補聴器に設けられた受信機に前記音声信号を無線送信する送信手段とを備えたことを特徴とする。
【０００７】
ここで、前記耳特定手段は、少なくとも前記スピーカを備えた受話器の傾きを検出する傾きセンサと、この傾きセンサの検出結果に基づいて前記利用者が左右のいずれの耳で前記スピーカから出力される音声を聴くかを特定する特定手段とを備えてもよい。
また、前記送信手段は、前記利用者の左右の耳に対してそれぞれ前記受信機の識別子を対応付けて記憶した記憶手段を有し、この記憶手段に記憶された前記識別子に基づいて、前記耳特定手段により特定された耳に対応付けられた前記受信機に前記音声信号を送信してもよい。
【０００８】
ここで、前記送信手段は、前記記憶手段において、前記耳特定手段により特定された耳に受信機の識別子が対応付けられていない場合は、前記スピーカに前記音声信号を送信してもよい。
【発明の効果】
【０００９】
本発明によれば、補聴器利用者の受話する左右いずれかの耳を特定し、その耳と対応する補聴器（受信機）にのみ音声信号を送信するので、補聴器利用者は違和感を感じることなく、通話を行うことができる。
【発明を実施するための最良の形態】
【００１０】
以下、図面を参照しながら本発明の実施の形態について説明する。
（第１の実施の形態）
図１は、本発明の第１の実施の形態にかかる電話装置の構成を示すブロック図である。
図１に示すように、電話装置１は、電話網４００に電話回線５００を介して接続された電話機本体１００αと、この電話機本体１００αとカールコード６００を介して接続された接続された受話器２００αとで構成されている。
この受話器２００αは、補聴器３００Ｒおよび３００Ｌと無線回線７００を介して接続されている。
ここでは、補聴器３００Ｒは利用者の右耳に、補聴器３００Ｌは、利用者の左耳にそれぞれ装着されているものとする。
なお、図１では、説明の便宜上、補聴器の構成例として、補聴器３００Ｒのみを示し、補聴器３００Ｌについては、（デザイン）外形上の差異があるのみで、基本的な内部構造は補聴器３００Ｒと同様であるので、その具体的構成についての説明を適宜省略する。
【００１１】
まず、電話機本体１００αの構成は次のようなものである。
電話機本体１００αは、電話回線５００を介して電話網４００に接続するインターフェースである電話網Ｉ／Ｆ（ＩｎｔｅｒＦａｃｅ  以下、「インターフェース」という。）１１０と、例えばダイヤルキーやオフフックボタン等、補聴器利用者が電話操作を行う入力手段である電話操作部１２０と、例えばディスプレイや点滅可能なボタン等、通話の状態を補聴器利用者に通知する表示手段である表示部１３０と、例えばＡＣアダプタや電池等、電話機本体１００αに電力を供給する電源部１４０と、カールコード６００を介して受話器２００αと接続するインターフェースである受話器Ｉ／Ｆ１５０と、制御部１６０αとを備えている。電話機本体１００αは、電源部１４０から電力が供給されることで動作する。
【００１２】
制御部１６０αは、図示はしないが、ＣＰＵと主記憶装置を備え、この主装置記憶装置に記憶されたのプログラムを読み込んで実行することにより、プログラムと上記ハードウェアとが協働して、電話機能および受話器送信機能を有する。
この電話機能は、電話操作部１２０による補聴器利用者の電話操作に基づいて、電話網Ｉ／Ｆ１１０を用いて呼制御を行うことで、電話装置１を通話の状態にする機能である。
また、受話器送信機能は、電話網Ｉ／Ｆ１１０および受話器Ｉ／Ｆ１５０を用いて通話における音声信号を受話器２００αに送信する機能である。
【００１３】
次に、受話器２００αの構成について説明する。
受話器２００αは、利用者の音声を音声信号に変換する入力手段であるマイク２１０と、入力された音声信号を音声として出力する出力手段であるスピーカ２２０と、カールコード６００を介して電話機本体１００αと接続するインターフェースである受話器Ｉ／Ｆ２３０と、無線回線７００を介して補聴器３００Ｒ、３００Ｌと接続するインターフェースである無線Ｉ／Ｆ２４０αと、例えば３軸加速度センサ等、受話器２００αの傾きを検出する傾きセンサ２５０と、例えばボタン等の入力手段である利用状態切替入力部２６０αと、音声信号の送信先を記憶する利用状態記憶部２７０αと、受話器２００αの動作を制御する制御部２８０αとを備えている。
【００１４】
この無線回線７００は、例えばブルートゥース（登録商標：Ｂｌｕｅｔｏｏｔｈ）や無線ＬＡＮ等、特定の対象と接続（ユニキャスト）が可能な伝送路である。
なお、説明の便宜上、無線回線７００のうち、補聴器３００Ｒとの無線伝送路として確立されたリンクをリンク７００ｒ、補聴器３００Ｌとのリンクをリンク７００ｌとする。
【００１５】
また、利用状態記憶部２７０αは、本発明における記憶手段に相当し、利用者の左右の耳ごとに補聴器の識別子を対応付けて記憶した記憶装置である。
図２は、利用状態記憶部が記憶するデータのデータ構造の一例を示す図である。
例えば、（ａ）は、右耳に補聴器３００Ｒの識別子（キーコード）、左耳に補聴器３００Ｌの識別子が対応付けて記憶されている。（ｂ）は、右耳に補聴器３００Ｒの識別子が対応付けて記憶されているが、左耳には、補聴器の識別子は記憶されていない。（ｃ）は、左耳に補聴器３００Ｌの識別子が対応付けて記憶されているが、右耳には、補聴器の識別子は記憶されていない。
利用状態記憶部２７０αには、利用者による利用状態切替入力部２６０αの操作により、上述した（ａ）〜（ｃ）に示すのいずれかの状態が設定される。
【００１６】
また、上述した制御部２８０αは、図示はしないが、ＣＰＵ（Ｃｅｎｔｒａｌ  Ｐｒｏｃｅｓｓｉｎｇ  Ｕｎｉｔ）と主記憶装置を備え、この主装置記憶装置または利用状態記憶部２７０αに記憶されたのプログラムを読み込んで実行することにより、プログラムと上記ハードウェアとが協働して、主記憶装置とともに特定制御部２８１αおよび送信制御部２８２αとして機能する。これら特定制御部２８１αおよび送信制御部２８２αは、制御部２８０αに設けられている。
【００１７】
特定制御部２８１αは、本発明における特定手段に相当し、傾きセンサ２５０を用いて補聴器利用者の受話する左右いずれかの耳を特定する機能部である。
送信制御部２８２αは、本発明における送信手段に相当し、電話回線５００を介した通話における音声信号を特定制御部２８１αにより特定された耳に対応付けられた補聴器に送信し、この音声信号を音声として出力する機能部である。特定された耳と音声信号を送信する送信先については、後述する〔１−２  送信先決定方法〕にて詳しく述べる。
また、特定制御部２８１αと傾きセンサ２５０とを組合わせた耳特定部８００αは、本発明における耳特定手段に相当する。耳特定部の動作手順は、後述する〔１−１  耳特定手段の動作手順〕にて詳しく述べる。
【００１８】
次に、補聴器３００Ｒの構成について説明する。
補聴器３００Ｒは、本発明における受信機に相当し、無線回線７００を介して受話器２００αと接続するインターフェースである無線Ｉ／Ｆ３１０と、受信した音声信号を増幅する機器である増幅器３２０と、増幅器３２０で増幅された音声信号を音声として出力する出力手段であるスピーカ３３０とを備えている。
また、補聴器３００Ｒは、図示はしないが例えば電池等の電源部を有し、この電源部から電力が供給されることで動作する。
また、補聴器３００Ｒは、無線Ｉ／Ｆ３１０を介して音声データを受信すると、この音声データを音声信号に変換し、この音声信号を増幅器３２０に送信する。増幅器３２０は、送信された音声信号を所定の音量まで増幅し、増幅した音声信号をスピーカ３３０に送信する。スピーカ３３０は、送信された音声信号を音声として出力する。
なお、補聴器３００Ｌの構成については、（デザイン）外形上の差異があるのみで、基本的な内部構造および動作は補聴器３００Ｒと同様であるので、その具体的構成についての説明を適宜省略する。
【００１９】
次に、本発明における耳特定手段に相当し、受話する左右のいずれかの耳を特定する「１−１  耳特定部の動作手順」と、送信制御部２８１αの〔１−２  送信先決定方法〕と、本実施の形態にかかる電話装置１の動作手順である〔１−３  電話装置の動作手順〕とについて図を参照しながら説明する。
【００２０】
〔１−１  耳特定手段の動作手順〕
図４は、耳特定部の動作手順を示すのフローチャートである。
特定制御部２８１αは、傾きセンサ２５０から出力された受話器２００αの傾きを検出結果として受信する（Ｓ１８１）。
特定制御部２８１αは、この検出結果から受話する左右いずれかの耳かを特定可能か判断する（Ｓ１８２）。
本実施の形態では、傾きが±５°を超えると特定可能と判断するものとする。
ここで、この判断について図５を参照して説明する。
図５は、受話する左右いずれかの耳と受話器２００αの傾きとの関係を表す図である。
この傾きセンサ２５０は、受話器の３次元情報（ｘ、ｙ、ｚ）を検出することができるセンサである。例えば、ｘ、ｙ、ｚ軸を、それぞれ直交し、ｙ軸方向をスピーカ２２０の音声出力方向、ｚ軸方向を鉛直方向と定義すると、特定制御部２８１αは、受話器２００αのｘ軸方向の傾きから受話する耳を特定することができる。
【００２１】
例えば、（ａ−１）の図は、ｙ軸方向からみた受話器２００αの図である。そして、この図をｚ軸方向からみた図が（ａ−２）である。この図が示す状態では、受話器２００αのｘ軸方向の傾きから、受話する耳は左耳であることがわかる。
また、（ｂ−１）の図は、ｙ軸方向からみた受話器２００αの図である。そして、この図をｚ軸方向からみた図が（ｂ−２）である。この図が示す状態では、受話器２００αのｘ軸方向の傾きから、受話する耳は右耳であることがわかる。
したがって、特定制御部２８１αは、受話器２００αのｘ軸の傾きである検出結果を得られれば、受話する左右いずれかの耳を特定可能と判断する。そして、特定制御部２８１αは、ここで特定された耳を仮特定とする。
【００２２】
受話する左右いずれかの耳が特定可能と判断する（Ｓ１８２：ＹＥＳ）と、特定制御部２８１αは、先の検出結果（Ｓ１８１）の受信より所定時間（例えば１秒）経過後の検出結果（Ｓ１８３）から特定した耳と仮特定した耳が同一か否か判断する（Ｓ１８４）。
その結果、特定制御部２８１αは、同一であると判断する（Ｓ１８４：ＹＥＳ）と、仮特定した耳を補聴器利用者が受話する左右いずれかの耳と特定する（Ｓ１８５）。
以上の動作手順により、特定制御部２８１αは、利用者の受話する左右いずれかの耳を特定することができる。
【００２３】
〔１−２  送信先決定方法〕
送信制御部２８２αは、利用状態記憶部２７０αに基づいて、特定制御部２８１αが特定した耳に対応する補聴器を音声信号の送信先とする。
この利用状態記憶部２７０αには、両耳それぞれに対応する補聴器を対応付けた状態が記憶されている。
以下、図２に示した例に基づいて送信先決定方法を説明する。
（ａ）の場合、特定制御部２８１αによって左耳が特定されると、送信制御部２８２αは、左耳に対応付けられた識別子に基づいて補聴器３００Ｌ（キーコード：３００Ｌ）との間にリンク７００ｌを確立し、補聴器３００Ｌに音声信号を送信する。一方、特定制御部２８１αによって右耳が特定されると、送信制御部２８２αは、右耳に対応付けられた識別子に基づいて補聴器３００Ｒ（キーコード：３００Ｒ）との間にリンク７００ｒを確立し、補聴器３００Ｒに音声信号を送信する。
（ｂ）の場合、特定制御部２８１αによって左耳が特定されると、左耳に補聴器の識別子が対応付けられていないので、送信制御部２８２αは、スピーカ２２０に音声信号を送信する。一方、特定制御部２８１αによって右耳が特定されると、送信制御部２８２αは、右耳に対応付けられた識別子に基づいて補聴器３００Ｒとの間にリンク７００ｒを確立し、補聴器３００Ｒに音声信号を送信する。
【００２４】
（ｃ）の場合、特定制御部２８１αによって左耳が特定されると、送信制御部２８２αは、左耳に対応付けられた識別子に基づいて補聴器３００Ｌとの間にリンク７００ｌを確立し、補聴器３００Ｌに音声信号を送信する。一方、特定制御部２８１αによって右耳が特定されると、右耳に補聴器の識別子が対応付けられていないので、送信制御部２８２αは、スピーカ２２０に音声信号を送信する。
以上のように、送信制御部２８２αは、利用状態記憶部２７０αに基づいて、特定制御部２８１αが特定した耳と対応する補聴器を送信先と決定する。
【００２５】
〔１−３  電話装置の動作手順〕
図３は、本発明の第１の実施の形態にかかる電話装置の着信動作手順を示すシーケンス図である。ここでは、図２（ａ）に示す利用状態記憶部２７０αにおける電話装置１の着信動作手順を示す。
電話機本体１００αにおいて、電話網４００から電話回線５００を介して着信通知が入力される（Ｓ１００）と、制御部１６０αは、利用者に着信を知らせる着信表示を表示部１３０に表示させる（Ｓ１１０）とともに、電話機本体１００αが備えるスピーカ（図１に図示せず）を用いて着信鳴動させる。
【００２６】
受話器２００αを用いてオフフックされる（Ｓ１２０）と、制御部１６０αは、電話操作入力部１２０によりこのオフフックを検出し、着信表示を終了させる（Ｓ１３０）とともに、着信鳴動を停止させる。そして、制御部１６０αは、利用者に通話の状態であることを知らせる通話表示を表示部１３０に表示させる（Ｓ１４０）。さらに、制御部１６０αは、電話回線５００を介して電話網４００に応答通知を行う（Ｓ１５０）。電話網４００にこの応答通知が通知されると、電話網４００と電話機本体１００αの間に通話路が確立され、電話装置１は通話の状態となる。さらに、制御部１６０αは、オフフックを通知するオフフック信号と、通話における音声信号とをカールコード６００を介して受話器２００αに送信する（Ｓ１６０、Ｓ１７０）。
【００２７】
ここで、利用者が右耳で受話すると、上述した耳特定部の動作手順にしたがって、特定制御部２８１αが右耳と特定する（Ｓ１８０）と、送信制御部２８２αは、上述した送信先決定方法にしたがって、送信先をキーコード３００Ｒとする。
そして、送信制御部２８２αは、信号が正しく届いて返答が行われるかを確認する相手サーチ信号を無線回線７００を介して送信する（Ｓ１９０）。
相手サーチ信号を受信した補聴器３００Ｌ、３００Ｒは、自身の識別子であるキーコードを無線回線７００を介して受話器２００αに送信（Ｓ２００、Ｓ２１０）し、音声信号の受信が可能であることを送信制御部２８２αに通知する。
【００２８】
受話器２００αの送信制御部２８２αは、受信したキーコードのうち、特定された右耳に対応するキーコード（３００Ｒ）と同じキーコードがあると、そのキーコードを送信した補聴器３００Ｒとリンク７００ｒを確立する（Ｓ２２０）。
そして、送信制御部２８２αは、無線回線Ｉ/Ｆ２４０を制御することにより、通話における音声信号を送信可能な音声データに変換し、リンク７００ｒを介してこの音声データを補聴器３００Ｒに送信する（Ｓ２３０）。この音声データを受信した補聴器３００Ｒは、音声データを音声として出力する。
【００２９】
その後、利用者の受話する耳が左耳に替わった場合、上述した耳特定部の動作手順にしたがって、特定制御部２８１αは受話する耳を左耳と特定する（Ｓ２４０）。
送信制御部２８２αは、既に確立されたリンク７００ｒを切断する切断信号を補聴器３００Ｒに送信し、リンク７００ｒを切断する（Ｓ２５０）。
この切断信号を受信した補聴器３００Ｒは、音声出力を停止する。
【００３０】
そして、送信制御部２８２αは、上述したＳ１９０〜Ｓ２３０と同様に、送信先であるキーコード３００Ｌである補聴器３００Ｌとリンク７００ｌを確立し（Ｓ２６０〜Ｓ２９０）、通話における音声信号を無線回線で送信可能な音声データに変換して、この音声データを補聴器３００Ｌに送信する（Ｓ３００）。
この音声データを受信した補聴器３００Ｌは、音声データを音声として出力する。
【００３１】
なお、さらに、その後、利用者の受話する耳が右耳に替わった場合、上述した耳特定部の動作手順にしたがって、特定制御部２８１αは受話する耳を右耳と特定し、送信制御部２８２αは、Ｓ２５０と同様に、既に確立されたリンク７００ｌを切断し、Ｓ１９０〜Ｓ２３０と同じ動作手順により補聴器３００Ｒに音声信号を送信する。この音声データを受信した補聴器３００Ｒは、音声データを音声として出力する。
【００３２】
電話機本体１００αにおいて、受話器２００αを用いてオンフックされる（Ｓ３１０）と、制御部１６０αは、電話操作入力部１２０によりこのオンフックを検出し、通話表示を終了させる（Ｓ３２０）。そして、制御部１６０αは、オンフックを通知するオンフック信号をカールコード６００を介して受話器２００αに送信する（Ｓ３３０）とともに、電話回線５００を介して電話網４００に終了通知を行う（Ｓ３５０）。電話網４００にこの終了通知を通知すると、電話網４００と電話機本体１００αの間に通話路が切断され、電話装置１はアイドル（待機）状態となる。
【００３３】
一方、オンフック信号を受信した受話器２００αの送信制御部２８２αは、リンク確立されている補聴器、例えば補聴器３００Ｌに切断信号を送信（Ｓ３４０）し、リンク７００ｌを切断する。
以上のように、本発明にかかる電話装置１または受話器２００αによれば、補聴器利用者が受話する左右いずれかの耳を特定し、その耳で利用されている補聴器にのみ音声信号を送信するので、補聴器利用者は違和感を感じることなく、通話を行うことができる。
【００３４】
（第２の実施の形態）
図６は、本発明の第２の実施の形態にかかる電話装置の構成を示すブロック図である。
図６に示すように、電話装置２は、電話網４００に電話回線５００を介して接続された電話機本体１００βと、この電話機本体１００βとカールコード６００を介して接続された接続された受話器２００βとで構成されている。
この受話器２００βは、補聴器３００Ｒおよび３００Ｌと無線回線７００を介して接続されている。
ここでは、補聴器３００Ｒは利用者の右耳に、補聴器３００Ｌは、利用者の左耳にそれぞれ装着されているものとする。
なお、図６では、説明の便宜上、補聴器の構成例として、補聴器３００Ｒのみを示し、補聴器３００Ｌについては、（デザイン）外形上の差異があるのみで、基本的な内部構造は補聴器３００Ｒと同様であるので、その具体的構成についての説明を適宜省略する。
【００３５】
まず、電話機本体１００βの構成について説明する。
電話機本体１００βは、図１で示した電話機本体１００αと同様に、電話網Ｉ／Ｆ１１０と電話操作部１２０と表示部１３０と電源部１４０と受話器Ｉ／Ｆ１５０とを備えている。さらに、電話機本体１００βは、無線回線７００を介して補聴器３００Ｒ、３００Ｌと接続するインターフェースである無線Ｉ／Ｆ１６０βと、例えばボタン等の入力手段である利用状態切替入力部１７０βと、音声信号の送信先を記憶する利用状態記憶部１８０βと、電話機本体１００βの動作を制御する制御部１９０βとを備えている。
【００３６】
利用状態記憶部１８０βは、本発明における記憶手段に相当し、図１の利用状態記憶部２７０αと同様に、利用者の左右の耳ごとに対応付けられた補聴器との関係を記憶した記憶装置である。
この利用状態記憶部１８０βには、利用者による利用状態切替入力部１７０βの操作により、上述した図２（ａ）〜（ｃ）に示すいずれかの状態が設定される。
【００３７】
また、上述した制御部１９０βは、図示はしないが、ＣＰＵ（Ｃｅｎｔｒａｌ  Ｐｒｏｃｅｓｓｉｎｇ  Ｕｎｉｔ）と主記憶装置を備え、この主装置記憶装置または利用状態記憶部１８０βに記憶されたのプログラムを読み込んで実行することにより、プログラムと上記ハードウェアとが協働して、主記憶装置とともに特定制御部１９１βおよび送信制御部１９２βとして機能する。これら特定制御部１９１βおよび送信制御部１９２βは、制御部１９０βに設けられている。
【００３８】
特定制御部１９１βは、本発明における特定手段に相当し、図１の特定制御部２８１αと同様に、傾きセンサ２５０を用いて補聴器利用者の受話する左右いずれかの耳を特定する機能部である。
送信制御部１９２βは、本発明における送信手段に相当し、図１の送信制御部２８２αと同様に、電話回線５００を介した通話における音声信号を特定制御部１９１βにより特定された耳に対応付けられた補聴器に送信し、この音声信号を音声として出力する機能部である。特定された耳と音声信号を送信する送信先について、特定制御部１９１βは、補聴器利用者の耳と音声信号の送信先を記憶した利用状態記憶部１８０βの設定に基づいて行う。
また、特定制御部１９１βと傾きセンサ２５０とを組合わせた耳特定部８００βは、本発明における耳特定手段に相当する。耳特定部の動作手順は、上述した耳特定手段の動作手順で述べたとおりである。
【００３９】
次に、受話器２００βの構成について説明する。
受話器２００βは、図１の受話器２００αと同様に、マイク２１０とスピーカ２２０と、受話器Ｉ／Ｆ２３０と傾きセンサ２５０とを備えている。さらに、受話器２００βは、制御部２７０βを備える。この制御部２７０βは、図示はしないが、ＣＰＵと主記憶装置を備え、この主装置記憶装置に記憶されたのプログラムを読み込んで実行することにより、プログラムと上記ハードウェアとが協働して、主記憶装置とともに、傾きセンサ２５０の検出結果をカールコード６００を介して特定制御部１９１βに送信する。
また、補聴器３００Ｒ、３００Ｌの構成の説明は、図１での説明と同様なので、ここでは省略する。
【００４０】
次に、電話装置２の動作手順について説明する。
図７は、本発明の第２の実施の形態にかかる電話装置の着信動作手順を示すシーケンス図である。ここでは、図２（ａ）に示す利用状態記憶部１８０βにおける電話装置２の着信動作手順を示す。
電話機本体１００βにおいて、電話網４００から電話回線５００を介して着信通知が入力される（Ｓ４００）と、制御部１９１βは、利用者に着信を知らせる着信表示を表示部１３０に表示させる（Ｓ４１０）とともに、電話機本体１００βが備えるスピーカ（図１に図示せず）を用いて着信鳴動させる。
【００４１】
受話器２００βを用いてオフフックされる（Ｓ４２０）と、制御部１９０βは、電話操作入力部１２０によりこのオフフックを検出し、着信表示を終了させる（Ｓ４３０）とともに、着信鳴動を停止させる。そして、制御部１９０βは、利用者に通話の状態であることを知らせる通話表示を表示部１３０に表示させる（Ｓ４４０）。さらに、制御部１９０βは、電話回線５００を介して電話網４００に応答通知を行う（Ｓ４５０）。電話網４００にこの応答通知が通知されると、電話網４００と電話機本体１００βの間に通話路が確立され、電話装置２は通話の状態となる。
【００４２】
ここで、利用者が右耳で受話すると、上述した耳特定部の動作手順にしたがって、特定制御部１９１βが右耳と特定する（Ｓ４６０）と、送信制御部１９２βは、上述した送信先決定方法にしたがって、送信先をキーコード３００Ｒとする。
そして、送信制御部１９２βは、信号が正しく届いて返答が行われるかを確認する相手サーチ信号を無線回線７００を介して送信する（Ｓ４７０）。
相手サーチ信号を受信した補聴器３００Ｌ、３００Ｒは、自身の識別子であるキーコードを無線回線７００を介して受話器２００βに送信（Ｓ４８０、Ｓ４９０）し、音声信号の受信が可能であることを送信制御部１９２βに通知する。
【００４３】
受話器２００βの送信制御部１９２βは、受信したキーコードのうち、特定された右耳に対応するキーコード（３００Ｒ）と同じキーコードがある場合、そのキーコードを送信した補聴器３００Ｒとリンク７００ｒを確立する（Ｓ５００）。
そして、送信制御部１９１αは、無線回線Ｉ/Ｆ１６０βを制御することにより、通話における音声信号を送信可能な音声データに変換し、リンク７００ｒを介してこの音声データを補聴器３００Ｒに送信する（Ｓ５１０）。この音声データを受信した補聴器３００Ｒは、音声データを音声として出力する。
【００４４】
その後、利用者の受話する耳が左耳に替わった場合、上述した耳特定部の動作手順にしたがって、特定制御部１９１βは受話する耳を左耳と特定する（Ｓ５２０）。
送信制御部１９２は、既に確立されたリンク７００ｒを切断する切断信号を補聴器３００Ｒに送信し、リンク７００ｒを切断する（Ｓ５３０）。
この切断信号を受信した補聴器３００Ｒは、音声出力を停止する。
【００４５】
そして、送信制御部１９２βは、上述したＳ４７０〜Ｓ５１０と同様に、送信先であるキーコード３００Ｌである補聴器３００Ｌとリンク７００ｌを確立し（Ｓ５４０〜Ｓ５７０）、通話における音声信号を無線回線で送信可能な音声データに変換して、この音声データを補聴器３００Ｌに送信する（Ｓ５８０）。
この音声データを受信した補聴器３００Ｌは、音声データを音声として出力する。
【００４６】
なお、さらに、その後、利用者の受話する耳が右耳に替わった場合、上述した耳特定部の動作手順にしたがって、特定制御部１９１βは受話する耳を右耳と特定し、送信制御部１９２βは、Ｓ５３０と同様に、既に確立されたリンク７００ｌを切断し、Ｓ４７０〜Ｓ５１０と同じ動作手順により補聴器３００Ｒに音声信号を送信する。この音声データを受信した補聴器３００Ｒは、音声データを音声として出力する。
【００４７】
電話機本体１００βにおいて、受話器２００βを用いてオンフックされる（Ｓ５９０）と、制御部１９０βは、電話操作入力部１２０によりこのオンフックを検出し、通話表示を終了させる（Ｓ６００）。そして、送信制御部１９２βは、リンク確立されている補聴器、例えば補聴器３００Ｌに切断信号を送信（Ｓ６１０）し、電話回線５００を介して電話網４００に終了通知を行う（Ｓ６２０）。電話網４００にこの終了通知を通知すると、電話網４００と電話機本体１００βの間に通話路が切断され、電話装置２はアイドル（待機）状態となる。
【００４８】
以上のように、本発明にかかる電話装置２によれば、補聴器利用者が受話する左右いずれかの耳を特定し、その耳で利用されている補聴器にのみ音声信号を送信するので、補聴器利用者は違和感を感じることなく、通話を行うことができる。
なお、上述した実施の形態では、着信動作を例に説明したが、発信動作においても、耳特定部および送信制御部は同様に動作する。
また、上述した実施の形態では、カールコード６００によって電話機本体と受話器とが接続されているとしたが、コードレスによって接続されているとしてもよい。
【００４９】
また、上述した実施の形態では、傾きセンサ２５０を用いたが、受話する左右いずれかの耳を特定できるものであればよく、例えば、補聴器の無線電界強度を検出し、検出結果が所定の値を超える場合に、受話する耳を左右いずれかの耳と特定してもよい。
また、上述した実施の形態では、利用者の左右の耳ごとに補聴器の識別子を対応付けて記憶した利用状態記憶部の状態に応じて音声信号の送信先を決定したが、利用状態記憶部を用いず、ディップスイッチで音声信号の送信先を定めてもよい。
また、利用状態記憶部が記憶する左右の耳と補聴器のペアリングを変更できるようにしてもよい。
また、上述した実施の形態では、利用状態切替入力部で利用状態記憶部を変更できるようにしたが、電話装置に利用状態切替入力部を設けず、利用状態記憶部を固定とした電話装置としてもよい。
【００５０】
また、上述した実施の形態では、特定の補聴器利用者が使用する例で説明したが、補聴器利用者毎に利用状態記憶部に記憶し、ボタン操作で利用者を選択できるようにすることにより、複数の人が電話装置を利用できるようになる。
また、例えば補聴器に対する音声信号の送信を停止する切替スイッチを設け、補聴器を利用しない人も使用できるようにしてよい。
また、上述した実施の形態では、補聴器を受信機の一例として用いたが、補聴器限定されるものではない。  
【図面の簡単な説明】
【００５１】
【図１】本発明の第１の実施の形態にかかる電話装置の構成を示すブロック図である。
【図２】利用状態記憶部が記憶するデータのデータ構造の一例を示す図である。
【図３】本発明の第１の実施の形態にかかる電話装置の着信動作手順を示すシーケンス図である。
【図４】耳特定部の動作手順を示すのフローチャートである。
【図５】受話する左右いずれかの耳と受話器の傾きとの関係を表す図である。
【図６】本発明の第２の実施の形態にかかる電話装置の構成を示すブロック図である。
【図７】本発明の第２の実施の形態にかかる電話装置の着信動作手順を示すシーケンス図である。
【符号の説明】
【００５２】
１００α、β…電話機本体、１１０…電話網Ｉ／Ｆ、１２０…電話操作入力部、１３０…表示部、１４０…電源部、１５０…受話器Ｉ／Ｆ、１６０β…制御部、１７０β…利用状態切替入力部、１８０β…利用状態記憶部、１９０β…制御部、１９１β…特定制御部、１９２β…送信制御部、２００α、β…受話器、２１０…マイク、２３０…受話器Ｉ／Ｆ、２４０…無線Ｉ／Ｆ、２５０…傾きセンサ、２６０α…利用状態切替入力部、２７０α…利用状態記憶部、２８０α…制御部、２８１α…特定制御部、２８２α…送信制御部、３００Ｒ、Ｌ…補聴器、３１０…無線Ｉ／Ｆ、３２０…増幅器、３３０…スピーカ、４００…電話網、５００…電話回線、６００…カールコード、７００…無線回線、７００ｒ、ｌ…リンク、８００α、β…耳特定部。
【図１】
0004779707.tif 000002
【図２】
0004779707.tif 000003
【図３】
0004779707.tif 000004
【図４】
0004779707.tif 000005
【図５】
0004779707.tif 000006
【図６】
0004779707.tif 000007
【図７】
0004779707.tif 000008